(57)【要約】【課題】ロックボルト等のアンカーに対して側方から装着可能なアンカー用スペーサを提供し、アンカー用スペーサの装着作業に関する作業性を改善する。【解決手段】アンカー用スペーサ１を、周壁の一部が軸心方向に沿って開放された短筒状に形成され、その開放部７を介してロックボルト等からなるアンカーに側方から装着可能に構成された両側の把持部５と、それらの両側の把持部５に両端部が一体的に連設され、それぞれの中間部が径方向外側へ略放射状に膨出した帯板状からなる複数の間隔保持片９〜１２とから構成するとともに、前記開放部７を挟んで把持部５の周方向両側に連設される間隔保持片９，１２をそれらの開放部７側の端部がそれぞれ開放部７の近傍に位置するように配設する。また、前記開放部７の両側の縁部に、間隔保持片９，１２の端面により形成される斜辺部とほぼ同じ傾斜状態の折曲げ片１９，２０を形成する。【選択図】図３
2004308406.tif 000002
【特許請求の範囲】
【請求項１】
周壁の一部が軸心方向に沿って開放された短筒状に形成され、その開放部を介してロックボルト等からなるアンカーに側方から装着可能に構成された両側の把持部と、それらの両側の把持部に両端部が一体的に連設され、それぞれの中間部が径方向外側へ略放射状に膨出した帯板状からなる複数の間隔保持片とから構成されるアンカー用スペーサであって、前記開放部を挟んで把持部の周方向両側に連設される間隔保持片をそれらの開放部側の端部がそれぞれ前記開放部の近傍に位置するように配設したことを特徴とするアンカー用スペーサ。
【請求項２】
前記把持部に形成される開放部の軸心方向に沿った両側の縁部に、それぞれ外側に折曲げて前記間隔保持片の端面により形成される斜辺部とほぼ同じ傾斜状態の折曲げ片を形成したことを特徴とする請求項１に記載のアンカー用スペーサ。
【請求項３】
周壁の一部が軸心方向に沿って開放された短筒状に形成され、その開放部を介してロックボルト等からなるアンカーに側方から装着可能に構成された両側の把持部と、それらの両側の把持部に両端部が一体的に連設され、それぞれの中間部が径方向外側へ略放射状に膨出した帯板状からなる複数の間隔保持片とから構成されるアンカー用スペーサであって、前記把持部に前記アンカーの外周面の凸部に係止可能な係止片を折曲げ形成したことを特徴とするアンカー用スペーサ。
【請求項４】
前記把持部に軸心方向に互いに反対側に傾斜した係止片を折曲げ形成したことを特徴とする請求項３に記載のアンカー用スペーサ。
【発明の詳細な説明】
【技術分野】
【０００１】
本発明は、ロックボルト等のアンカーを地盤に設置する場合に、そのアンカーに装着して設置用孔部の内壁面との間隔を保持するために使用されるアンカー用スペーサに関する。
【背景技術】
【０００２】
従来から、ロックボルト等のアンカーは地盤安定化の手段として広く使用されている。これらのアンカーは、予めアンカーの設置位置に削孔された設置用孔部に挿入した状態で、その周囲に適宜のグラウト材を充填することにより地盤に定着される。この定着作業においては、それらグラウト材の被り厚を適正に確保することが重要であり、このため、アンカーを設置用孔部の中心すなわち孔心に位置させる各種形状のアンカー用スペーサが広く使用され、一般的にアンカーの挿入部分に対して所定の間隔毎に複数個が装着される。
【０００３】
斯かるアンカー用スペーサに関する従来例としては、周壁の一部が分断された略円筒状からなる両側の挿通口の部分と、それらの両側の挿通口の部分に連設された径方向外方に膨出した帯板状からなる複数の間隔保持用の支持片とから構成されるアンカー用スペーサが開示されている（特許文献１）。この従来のアンカー用スペーサは、アンカーの長手方向の適宜位置に装着することにより、放射状に膨出した複数の間隔保持用の支持片がそれぞれ設置用孔部の内壁面に当接して、アンカーを設置用孔部の中心位置に保持するものである。しかしながら、アンカー用スペーサを１枚の金属板から形成する関係から、前記挿通口の部分がその周壁の一部で分断された略円筒状から構成されていたものの、アンカー用スペーサを装着する際には、前記挿通口の部分にアンカーを挿通することにより行い、アンカーに対する側方からの装着は想定されておらず、そのための工夫もなされていなかった。
【特許文献１】特公昭６４−５３７号公報
【発明の開示】
【発明が解決しようとする課題】
【０００４】
本発明は、以上のような従来の技術的状況に鑑み、ロックボルト等のアンカーに対して側方から装着可能なアンカー用スペーサを提供し、アンカーに対するアンカー用スペーサの装着作業に関する作業性を改善することを目的とする。
【課題を解決するための手段】
【０００５】
前記課題を解決するため、請求項１の発明では、アンカー用スペーサを、周壁の一部が軸心方向に沿って開放された短筒状に形成され、その開放部を介してロックボルト等からなるアンカーに側方から装着可能に構成された両側の把持部と、それらの両側の把持部に両端部が一体的に連設され、それぞれの中間部が径方向外側へ略放射状に膨出した帯板状からなる複数の間隔保持片とから構成するとともに、前記開放部を挟んで把持部の周方向両側に連設される間隔保持片をそれらの開放部側の端部がそれぞれ前記開放部の近傍に位置するように配設するという構成を採用した。また、請求項２の発明では、前記把持部に形成される開放部の軸心方向に沿った両側の縁部に、それぞれ外側に折曲げて前記間隔保持片の端面により形成される斜辺部とほぼ同じ傾斜状態の折曲げ片を形成するという構成を採用した。以上のように、請求項１の発明では、前記把持部に形成される開放部を挟んで把持部の周方向両側に連設される前記間隔保持片をそれらの開放部側の端部がそれぞれ前記開放部の近傍に位置するように配設するという構成を採用したので、本発明に係るアンカー用スペーサを装着するに際して、アンカーに対して側方から接近させると、先ず前記アンカーが前記把持部の開放部の両側に連設した略放射状に延びる間隔保持片の端面により形成される斜辺部に当接して、アンカーを前記把持部の開放部へ誘導するという誘導作用が働くことになる。すなわち、前記間隔保持片をそれらの開放部側の端部がそれぞれ前記開放部の近傍に位置するように配設したことから、それらの開放部の両側に略放射状に延びる間隔保持片の端面により形成される斜辺部によって略Ｖ字状の誘導溝が形成され、アンカーに対する間口が広い大ざっぱな誘導作用が得られ、アンカー用スペーサとアンカーとの接近の初期の段階から誘導されるので、正確に位置決めして接近させる必要はなく、薄暗い場合などにおいても簡便かつ的確に装着することができる。さらに、請求項２の発明では、前記把持部に形成される開放部の軸心方向に沿った両側の縁部に、それぞれ外側に折曲げて前記間隔保持片の端面により形成される斜辺部とほぼ同じ傾斜状態の折曲げ片を形成したので、前記間隔保持片の誘導作用と相俟って、アンカー用スペーサをアンカーに対して側方から装着するに際してアンカーを簡便かつ的確に把持部の開放部へ誘導することができる。また、それらの折曲げ片により前記開放部の軸心方向に沿った両側の縁部が大幅に補強される。
【０００６】
請求項３の発明では、前記請求項１の発明と同様に、アンカー用スペーサを、周壁の一部が軸心方向に沿って開放された短筒状に形成され、その開放部を介してロックボルト等からなるアンカーに側方から装着可能に構成された両側の把持部と、それらの両側の把持部に両端部が一体的に連設され、それぞれの中間部が径方向外側へ膨出した帯板状からなる複数の間隔保持片とから構成するとともに、前記把持部に前記アンカーの外周面の凸部に係止可能な係止片を折曲げ形成するという構成を採用した。また、請求項４の発明では、前記把持部に軸心方向に互いに反対側に傾斜した係止片を折曲げ形成するという構成を採用した。以上のように、請求項３の発明では、前記把持部に前記アンカーの外周面の凸部に係止可能な係止片を折曲げ形成するという構成を採用したので、前記把持部に係止片を折曲げ形成するという簡単な構成により、本発明に係るアンカー用スペーサをアンカーに対して側方から装着すると同時に前記係止片がアンカーの外周面の凸部に係止して軸心方向の移動を阻止する状態に簡便にセットすることが可能である。さらに、請求項４の発明では、前記把持部に軸心方向に互いに反対側に傾斜した係止片を折曲げ形成するという構成を採用したので、それらの互いに反対側に傾斜した相互作用により、どちらの方向に対してもより強固に移動を阻止することが可能である。
【発明の効果】
【０００７】
本発明によれば、次の効果を得ることができる。
（１）請求項１〜４の発明によれば、アンカー用スペーサをアンカーに対して側方から装着することができるので、その装着作業がきわめて簡便であり、作業性が大幅に改善される。しかも、両側の把持部を介してアンカーに装着されるので、きわめて安定した支持状態が得られるという共通の効果が得られる。
（２）請求項１の発明によれば、把持部に形成された開放部の両側から略放射状に延びる前記間隔保持片の端面により形成される斜辺部の誘導作用によって、アンカー用スペーサとアンカーとの接近の初期の段階から間口の広い誘導が可能なことから、正確に位置決めして接近させる必要はなく、薄暗い場合などにおいても簡便かつ的確に装着することができる。
（３）請求項２の発明によれば、前記把持部に形成される開放部の軸心方向に沿った両側の縁部に折曲げ形成した前記間隔保持片の端面により形成される斜辺部とほぼ同じ傾斜状態の折曲げ片により、前記間隔保持片の誘導作用と相俟って、アンカー用スペーサを装着する際に、アンカーを簡便かつ的確に把持部の開放部へ誘導することができる。さらに、それらの折曲げ片により前記開放部の軸心方向に沿った両側の縁部が大幅に補強される。
（４）請求項３の発明によれば、簡単な構成によって、アンカー用スペーサをアンカーに対して側方から装着すると同時に軸心方向の移動を阻止する状態に簡便にセットすることが可能である。
（５）請求項４の発明によれば、前記把持部に折曲げ形成した互いに反対側に傾斜した係止片の相互作用により、どちらの方向に対しても強固に移動を阻止することが可能である。
【発明を実施するための最良の形態】
【０００８】
図１は本発明の使用形態を示した説明図であり、図２はその要部を拡大して示した部分拡大図である。図中、１は本発明に係るアンカー用スペーサであり、本例ではロックボルト２に対して２個のアンカー用スペーサ１を装着した場合を示した。図示のように、ロックボルト２は、アンカー用スペーサ１を装着した状態で、地盤３等の設置位置に予め穿孔した設置用孔部４へ挿入し、それらの設置用孔部４の内壁面とロックボルト２の外周面との間にグラウト材等を充填して定着させ、アンカーとして使用することになる。なお、図１の説明図は、そのロックボルト２を設置用孔部４へ挿入する途中の段階を示したものであり、その挿入途中の段階や挿入後の状態において、アンカー用スペーサ１を構成する各間隔保持片の膨出部が設置用孔部４の内壁面に当接して、ロックボルト２を設置用孔部４の中心に位置させるように機能することになる。
【実施例】
【０００９】
図３〜図９は前記アンカー用スペーサ１に関する具体的な実施例を示したものである。図３はアンカー用スペーサ１を軸心方向からみた正面図であり、図４は図３に示したアンカー用スペーサ１の平面図、図５は図４に指示したＡ−Ａ断面図、図６は図３に示したアンカー用スペーサ１の背面図、図７は同右側面図、図８は同左側面図、図９は同底面図をそれぞれ示したものである。図４及び図７〜図９に示したように、アンカー用スペーサ１は、その軸心方向の両側に図２のようにロックボルト２に側方から装着可能な把持部５，６を有する。これらの把持部５，６は、図３、図５、図６に示したように、周壁の一部が軸心方向に沿って開放された短筒状に形成され、それらの開放部７，８を介してロックボルト２に側方から装着可能に構成されている。また、両側の把持部５，６の間には、それらの把持部５，６に両端部が一体的に連設され、かつそれぞれの中間部が径方向外側へ略放射状に膨出した帯板状からなる複数の間隔保持片９〜１２を有し、それらの把持部５，６と複数の間隔保持片９〜１２によって前記アンカー用スペーサ１を構成している。
【００１０】
図３、図５、図６に示したように、間隔保持片９〜１２のうち、前記開放部７，８を挟んで把持部５，６の周方向両側に連設される間隔保持片９，１２は、それらの開放部７，８側の端部１３〜１６がそれぞれ開放部７，８の近傍に位置するように配設されている。したがって、図３、図５、図６のように、間隔保持片９，１２の開放部７，８側に面する端面１７，１８により、開放部７，８の両縁部を始点として略放射状に延びる斜辺部が形成され、それらの両側の斜辺部によってロックボルト２を開放部７，８へ誘導可能な略Ｖ字状の溝部が形成されている。
【００１１】
また、図３、図６、図９に示したように、前記把持部５，６に形成される開放部７，８の軸心方向に沿った両側の縁部には、それぞれ外側に折曲げて前記間隔保持片９，１２の端面１７，１８により形成される斜辺部とほぼ同じ傾斜状態の折曲げ片１９〜２２を形成している。そして、それらの保持片９，１２の端面１７，１８により形成される斜辺部と、折曲げ片１９〜２２とによって、アンカー用スペーサ１をロックボルト２に対して側方から装着するに際して、ロックボルト２を前記把持部５，６に形成された開放部７，８へ的確に誘導するという誘導作用を奏する。すなわち、アンカー用スペーサ１をロックボルト２に対して接近させる初期の段階においては先ず保持片９，１２の端面１７，１８により形成される斜辺部により間口の広い大ざっぱな誘導作用が開始され、更に接近が進むにつれて折曲げ片１９〜２２による誘導作用に移行して開放部７，８へ的確に誘導されることになる。
【００１２】
さらに、図４及び図７〜図９に示したように、前記把持部５には、図２のようにロックボルト２の外周面の凸部に係止可能な係止片２３，２４を折曲げ形成している。それらの係止片２３，２４は互いに反対側に傾斜した状態に折曲げ形成されている。したがって、把持部５に係止片２３，２４を折曲げ形成するという簡単な構成によって、アンカー用スペーサ１をアンカーとしてのロックボルト２に対して側方から装着すると同時に前記係止片２３，２４がロックボルト２の外周面の凸部に係止して軸心方向の移動を阻止する状態に簡便にセットすることが可能である。さらに、軸心方向に互いに反対側に傾斜した係止片２３，２４により、それらの互いに反対側に傾斜した相互作用により、どちらの方向に対しても強固に移動を阻止することが可能である。
【図面の簡単な説明】
【００１３】
【図１】本発明の使用形態を示した説明図である。
【図２】図１の要部を拡大して示した部分拡大図である。
【図３】本発明の実施例に係るアンカー用スペーサを軸心方向からみた正面図である。
【図４】図３に示したアンカー用スペーサの平面図である。
【図５】図４に指示したＡ−Ａ断面図である。
【図６】図３に示したアンカー用スペーサの背面図である。
【図７】同アンカー用スペーサの右側面図である。
【図８】同アンカー用スペーサの左側面図である。
【図９】同アンカー用スペーサの底面図である。
【符号の説明】
【００１４】
１…アンカー用スペーサ、２…ロックボルト、３…地盤、４…設置用孔部、５，６…把持部、７，８…開放部、９〜１２…間隔保持片、１３〜１６…端部、１７，１８…端面、１９〜２２…折曲げ片、２３，２４…係止片
【図１】
2004308406.tif 000003
【図２】
2004308406.tif 000004
【図３】
2004308406.tif 000005
【図４】
2004308406.tif 000006
【図５】
2004308406.tif 000007
【図６】
2004308406.tif 000008
【図７】
2004308406.tif 000009
【図８】
2004308406.tif 000010
【図９】
2004308406.tif 000011